(57)【特許請求の範囲】
【請求項１】
装着部位に装着される装具本体に固定され、リンク体を支持する支持部を有したホルダ部と、
ホルダ部の対向位置に取り付けられ、リンク体を介してホルダ部に連係して装着部位を締着するベルト体と、
ホルダ部とベルト体間に介在してホルダ部とベルト体による締着を行わせるリンク体と、を有し、
リンク体は、ホルダ部の支持部に支持された状態で短辺側に開放口を形成した長溝部を有する長枠部材であって、ベルト体が巻回されるベルト側杆と、ベルト側杆に平行状に配置され支持部に巻き通される支持孔を有するホルダ側片と、非開放側においてベルト側杆とホルダ側片とを連結する連結杆と、を一体的に形成してなり、
ベルト側杆の端部であって、開放口に臨む部分にはホルダ側片側に向けてノーズを配置させたフック部が形成されるとともに、
ホルダ側片には、ベルト側杆側へ向けて突出する少なくとも１つの山を有する山なり突部であり、その山の両側の下り傾斜部にそれぞれ接続した２つの谷を有する山なり突部が設けられたことを特徴とする締着装置。
【請求項２】
山なり突部は、複数個一列状に併設されていることを特徴とする請求項１記載の締着装置。
【請求項３】
請求項１または２記載の締着装置に用いられるリンク体からなる締着具。
【請求項４】
請求項１または２記載の締着装置を身体の部位への締結手段とする医療用装具。
【発明の詳細な説明】
【技術分野】
【０００１】
本発明は、締着装置及びそれに用いる締着具並びに医療用装具に関する。
【背景技術】
【０００２】
病気や怪我により上下肢等の身体の一部の機能が低下したり、失われた際には、それらの患部の機能の補助や治療のために患部に対応した装具が装着される。例えば、脳卒中の後遺症等で片麻痺となった患者は、自分の意志で麻痺した側の下肢を自由に曲げ伸ばし等することが困難となり、時として歩行時に患側下肢を前に振り出す際に（遊脚期に）つま先が地面に引っかかってしまってうまく歩行できなくなる。このような症状に対して例えば、短下肢装具等の各種の下肢装具が用いられる。従来では、短下肢装具等の各種の装具を患部に装着するものとしては、例えば、特許文献１に示すように、中央を孔貫通させて無端の矩形枠状に形成された角環を有し、ベルト１１，１２を先端から該角環の孔に通係させてベルトの面ファスナ等により係止させて固定する止め具１１ａ、１２ａが用いられていた。しかしながら、例えば、上記のようなベルトと角環を有する止め具による締着構成では、装具を患者自身で装着する際には、病気や怪我或いは高齢に伴う身体機能の衰えにより、角環のわずかな孔内にベルトをスムーズに通すことが困難で、短時間で装着することができなかった。特に、片麻痺等の患者の場合には、片手、片足ともに不自由になるため、麻痺のない健側の片手だけでベルトを操作して角環の孔内に通すこととなるので、作業が煩雑で装着時間もかかり、患者自身でスムーズに装具を装着することが困難な場合があった。
【０００３】
これに対し本出願人は、先に出願した特許文献２において、例えば、片麻痺の患者でも片手でスムーズに締着操作を行える締着装置を提案している。特許文献２の締着装置は、装具本体に取り付けられた長孔状の通し孔付きのホルダ部と、リンク体を介してホルダ部に連係し身体の部位を締着させるベルト体と、ホルダ部とベルト体間に介在するリンク体と、を有し、リンク体は、１つの軸杆部をホルダ部の通し孔に通した状態でホルダ部に保持される略コ字状の軸杆からなるもので構成されている。装具を患部に装着する際には、ベルト体を略コ字状の軸杆からなるリンク体にコ字開口側から挿入して、ベルト体を面ファスナで固定するだけでよいので、従来の角環のように環孔にベルトを先端部から挿入させるといった煩雑な操作を不要とし、簡便かつ短時間に締着操作を行なえるものであった。
【０００４】
【特許文献１】実開平５−６５３１４号公報
【特許文献２】実用新案登録第３１２８１３３号公報
【発明の開示】
【発明が解決しようとする課題】
【０００５】
しかしながら、特許文献２の締着装置では、締着操作性を向上できるが、ベルト体とホルダ部とにそれぞれ連係される２つの対向する軸杆の対向間隙が比較的大きく形成されるので、ベルト体を軸杆に巻回して締着した後に比較的大きな遊びが生じ、ベルト体の巻回した部分が対向間隙内で動いてずれることにより、ベルト体がコ字開口側から外れるおそれがあった。単に２つの対向軸杆の対向間隙を狭くするだけでは、開口の幅も狭くなるのでベルト体を該開口から挿入しにくく操作性が悪化する問題があり、締着操作性の向上と締着状態でのベルト体の離脱を確実に防止できる構成とを同時に満足する締着装置の開発が望まれていた。
【０００６】
本発明は上記従来の課題に鑑みてなされたものであり、その一つの目的は、身障者、高齢者等でも簡便かつスピーディに装具を締着操作できると同時に、締着した際にベルト体の離脱を確実に防止できる締着装置及びそれに用いられる締着具並びに医療用装具を提供することにある。
【課題を解決するための手段】
【０００７】
上記課題を解決するために本発明は、装着部位に装着される装具本体に固定され、リンク体１６ａ、１６ｂを支持する支持部１８を有したホルダ部１２と、ホルダ部１２の対向位置に取り付けられ、リンク体１６ａ、１６ｂを介してホルダ部１２に連係して装着部位を締着するベルト体１４と、ホルダ部１２とベルト体１４間に介在してホルダ部１２とベルト体１４による締着を行わせるリンク体１６ａ、１６ｂと、を有し、リンク体１６ａ、１６ｂは、ホルダ部１２の支持部１８に支持された状態で短辺側に開放口２８を形成した長溝部３０を有する長枠部材であって、ベルト体１４が巻回されるベルト側杆３２と、ベルト側杆３２に平行状に配置され支持部に巻き通される支持孔３４を有するホルダ側片３６と、非開放側においてベルト側杆３２とホルダ側片３６とを連結する連結杆３８と、を一体的に形成してなり、ベルト側杆３２の端部であって、開放口２８に臨む部分にはホルダ側片３６側に向けてノーズ４２を配置させたフック部４０が形成されるとともに、ホルダ側片３６には、ベルト側杆３２側へ向けて突出する少なくとも１つの山を有する山なり突部４６であり、その山の両側の下り傾斜部４８にそれぞれ接続した２つの谷を有する山なり突部４６が設けられたことを特徴とする締着装置１０（１０ａ、１０ｂ）から構成される。ホルダ部１２とベルト体１４は、それぞれ別々の部材で構成して、それらを装具に取付けることとしてもよいし、例えば、１つの帯状部材の一端部側にホルダ部１２を他端側にベルト体１４を構成して装具に取付けることとしてもよい。装具の態様に応じて、取付ける締着装置の個数や、ホルダ部やベルト体の幅、リンク体の開放口の向きの設定など適宜選択するとよい。例えば、２つの締着装置を並列状に近接配置させる際に、リンク体の開放口の向きを対向外側に向くように設定すると締着操作の際に他方のリンク体が邪魔にならず操作しやすい。
【０００８】
また、山なり突部４６は、複数個一列状に併設されていることとしてもよい。
【０００９】
さらに、本発明は、上記記載の締着装置１０（１０ａ、１０ｂ）に用いられるリンク体１６ａ、１６ｂからなる締着具から構成される。リンク体１６ａ、１６ｂは、例えば、硬質の金属や合金、合成樹脂等により一体的に形成される。リンク体の製造方法は任意でよく、例えば、板材、ブロック状の材料から切削等により成形してもよいし、溶融金属、溶融樹脂等を型に流し込み固化して生産してもよい。また、使用者が怪我しないように面取りされているとよい。
【００１０】
さらに、上記記載の締着装置１０ａ、１０ｂを身体の部位への締結手段とする医療用装具１から構成される。
【発明の効果】
【００１１】
本発明の締着装置によれば、装着部位に装着される装具本体に固定され、リンク体を支持する支持部を有したホルダ部と、ホルダ部の対向位置に取り付けられ、リンク体を介してホルダ部に連係して装着部位を締着するベルト体と、ホルダ部とベルト体間に介在してホルダ部とベルト体による締着を行わせるリンク体と、を有し、リンク体は、ホルダ部の支持部に支持された状態で短辺側に開放口を形成した長溝部を有する長枠部材であって、ベルト体が巻回されるベルト側杆と、ベルト側杆に平行状に配置され支持部に巻き通される支持孔を有するホルダ側片と、非開放側においてベルト側杆とホルダ側片とを連結する連結杆と、を一体的に形成してなり、ベルト側杆の端部であって、開放口に臨む部分にはホルダ側片側に向けてノーズを配置させたフック部が形成されるとともに、ホルダ側片であって、その開放口に臨む部分でノーズに対向する位置に設けたベルト側杆への近接方向に突状に傾斜する傾斜部を有する山なり突部を設けた構成であることから、フック部のノーズと山なり突部の傾斜部とにより比較的広い幅の開放口を確保しつつ該開放口を介してベルト体を誘導しながら長溝部内に挿入してベルト体とリンク体とを係合できるので、例えば、病気、怪我或いは高齢等により手がある程度不自由な者でも片手だけでの簡便かつスムーズな締着操作を実現できると同時に、締着した状態では、ベルト体の巻回部位が山なり突部によりホルダ側片への移動を規制しており、開放口側への移動した際にはフック部に確実に係止されるので、ベルト体の開放口側からの離脱を確実に防止し、安全性も高い。
【００１２】
また、山なり突部は、複数個一列状に併設されていることから、ベルト体の幅に対応して個数を設定し、締着時には、山なり突部とベルト体との係合を安定した状態として、ベルト体の離脱を確実に防止できる。
【００１３】
本発明の締着具によれば、上記記載の締着装置に用いられるリンク体からなる構成であるから、例えば、手がある程度不自由な身障者や高齢者でも簡便で短時間に締着できるとともに、締着した状態では、ベルト体の離脱を確実に防止できる締着具を具現できる。
【００１４】
本発明の医療用装具によれば、上記記載の締着装置を身体の部位への締結手段とする構成であるから、例えば、手がある程度不自由な身障者や高齢者でも簡便で短時間に締着できるとともに、締着した状態では、ベルト体の離脱を確実に防止できる医療用装具を具現できる。
【発明を実施するための最良の形態】
【００１５】
以下添付図面を参照しつつ本発明の締着装置及びそれに用いられる締着具並びに医療用装具について説明する。本発明の締着装置及び締着具は、例えば、病気や怪我等により機能が低下した又は失われた身体の所定の患部へ医療用等の装具類を締着するのに用いられるものである。また本発明はそれらを用いた医療用装具である。図１ないし図６は、本発明の締着装置の第１の実施形態を示している。この実施形態では、医療用装具１は、例えば、片麻痺、下垂足、内反足等の治療や補助等の際に適応される短下肢装具の形態で説明している。
【００１６】
医療用装具１は、装具本体２を患部にあてがった状態で締着装置を用いて締着される。図１に示すように、本実施形態では、装具本体２は、例えば、患側の下腿部と足部とを同時にあてがうように全体的に略Ｌ字状に形成されたプラスチック等の硬質合成樹脂製の後方支柱型あるいはシューホーン型のものである。装具本体２は、下腿部の周面に背面から両側面に密着しつつ前面側を開放した横断面略Ｕ字状の下腿あてがい部２ａと、足部に底裏から両側面に密着しつつ上面側を開放した縦断面略コ字状の足あてがい部２ｂと、が連続状に一体形成されている。かかと部に対応した部分は孔が設けられており、装具本体２のあてがい状態でかかとが外部に露出するようになっている。本実施形態では、装具本体２は、下腿部の上部前面側と、足関節前面と、足背部と、のそれぞれの位置で締着する構成となっている。これらのうち下腿部の上部前面側と足関節前面の位置では、本実施形態に係る締着用の締着装置１０が設けられている。足背部位置の締着構成では、他の締着装置６０が用いられている。なお、本実施形態に係る締着装置１０が用いられる医療用装具１は、上記のものに限らず、患側下肢の両側に金属支柱が設けられたものや靴型を備えた他の形態の短下肢装具又は股装具、長下肢装具、膝装具等その他下肢装具、肩装具、肘装具、長対立装具、短対立装具、把持装具、手背屈装具、指装具等の上肢装具、頚椎装具、胸椎装具、腰椎装具、仙腸装具等の体幹装具等、その他任意の装具でもよい。
【００１７】
本実施形態において、装具本体２の下腿部の上部側前面に配置される装具の締着装置１０ａは、図１、図２に示すように、ホルダ部１２と、ベルト体１４と、リンク体１６ａと、を有している。そして装具本体２の断面略Ｕ字状の開放前面側において、一方の端部側にホルダ部１２及び該ホルダ部１２に保持されるリンク体１６ａが、他方の端部側にベルト体１４がそれぞれ支持されており、リンク体１６ａを介してベルト体１４をホルダ部１２に連係して下腿部を締着させる。ホルダ部１２は、リンク体１６ａを支持する支持部１８を有しており、本実施形態では例えば、所要の幅の１つの帯部材を２つに折り重ねて構成されており、折り目部分にリンク体１６ａの一部分を通す通し孔１９を形成しつつ重ね合わせ面部分を接着剤や縫合等により接合して設けられている。ホルダ部１２は、支持部１８が前面側に配置される状態でリベット２０等の固定手段で装具本体２に固定されている。
【００１８】
ベルト体１４は、例えば、５ｃｍ程度のある程度幅広で所要の長さと１〜２ｍｍ程度の厚みを有した可撓性ベルト部材であり、一端側を自由端としつつ他端側をリベット２２等の固定手段により装具本体２のホルダ部１２と対向した側で固定されている。ベルト体１４は、リンク体１６ａを介してホルダ部１２と連係した際に装具本体２の下腿あてがい部２ａとともに下腿部の一部を巻き付き状に密着するカフベルトとなっている。ベルト体１４の内面側の下腿部前面にあてがわれる部分にはベルト体よりやや幅広い柔軟弾性素材のパッド部材２４が固定されている。ベルト体１４の外面側には、面ファスナ雌部材２６と雄部材２７が長手方向に直列状に配置されて縫着又は接着剤等により固定されている。ベルト体１４は、図３にも示すように、リンク体１６ａとの係合時に先端側を折り返すように巻回されて、面ファスナ雌雄部材２６，２７を重ね合わせて着脱自在に係止される。
【００１９】
リンク体１６ａは、図１、図２、図３に示すように、ホルダ部１２とベルト体１４との間に介在してベルト体１４を締着させる締着具であり、本実施形態では、例えば、ステンレス等の金属で一体的に成形された締着金具である。なお、リンク体１６ａは、例えば、強化プラスチック等の硬質合成樹脂、その他の硬質素材で一体的に成型されてもよい。図４にも示すように、リンク体１６ａは、１辺側をホルダ部１２の支持部１８に支持された状態で他の１辺側にベルト体１４の挿入口となる開放口２８を形成しベルト体１４の通係部となる溝部を有する枠部材であり、本実施形態では、例えば、縦長の長枠部材からなり短辺側に開放口２８を形成した長溝部３０を有している。具体的には、リンク体１６ａは、ベルト体１４が長溝部３０を通係した状態で巻回されるベルト側杆３２と、ベルト側杆３２に平行状に対向配置され支持部１８に巻き通される支持孔３４を有するホルダ側片３６と、非開放側すなわち開放口２８に対向する他の短辺側においてベルト側杆３２とホルダ側片３６とを連結する連結杆３８と、を一体的に形成して構成されている。すなわち、縦長のベルト側杆３２とホルダ側片３６とを比較的短い長さの連結杆３８を介して連結した変形コ字状枠部材であり、該ベルト側杆３２とホルダ側片３６との間に開放口２８を有する長溝部３０を形成している。本実施形態では、リンク体１６ａは、開放口２８が医療用装具１の上方側に設定されてホルダ部１２に支持されている。これにより、開放口２８の位置を確認しやすくベルト体１４の挿入操作を行いやすい。なお、リンク体１６ａの開放口２８を下方側に設定してホルダ部１２に支持させてもよく、装具の種類や使用者の使い勝手等により開放口２８の開口方向を適宜設定するとよい。また、本実施形態では、装具本体２にホルダ部１２とベルト体１４を取り付けているが、これに限らず、例えば、１つの帯状部材の一端部側にリンク体を支持するホルダ部１２を、他端部側にベルト体１４を形成し、帯状部材の中間位置を装具等に取り付けてもよい。
【００２０】
ベルト側杆３２は、略直線状にベルト体１２の幅より若干長く設けられた軸杆からなり、端部であって開放口２８に臨む部分にはフック部４０が一体的に形成されている。フック部４０は、例えば、フック内側を弧状に凹設した略Ｊ字状に形成されており、ホルダ側片３６側に向けてノーズ４２を配置させている。フック部４０のノーズ４２は、長溝部３０内側に向けて開放口２８を次第に狭めるような下り傾斜を形成している。フック部４０のフック内側は、長溝部３０に連続しており、例えばそのフック幅がベルト体１４の厚みより若干大きめに設定されている。フック部４０は、ベルト体１４がベルト側杆に巻回された状態では、ベルト体の開放口２８側へ移動する際に該フック内側でベルト体１４の厚み側を係止して、ベルト体１４の離脱を確実に防止する。なお、図上では、ベルト側杆３２は、断面形状が端部に向けて徐々に小さくなるように設けられているが、長手方向に向けて同一径で形成してもよい。また、完全な直杆に限らず、若干湾曲していてもよく、ベルト体を巻回する態様であれば任意でよい。
【００２１】
ホルダ側片３６は、ホルダ部１２の支持部１８に係合する支持杆４４と、ベルト側杆３２との対向内側に設けられベルト側杆３２との間に長溝部３０を形成する山なり突部４６と、を含み、支持杆部４４と山なり突部４６との間に支持孔３４を形成している。支持杆４４は、例えば、ベルト側杆３２と略同じ長さの直杆からなり、ホルダ部１２の通し孔１９に貫通された状態で支持されている。なお、支持杆４４の断面形状は、例えば、円形、楕円形、多角形状等任意形状でよいが、断面略矩形状に形成しておくと、その隅部部分がホルダ部と係合してリンク体が軸周りしにくくなり、締着操作を行いやすい。本実施形態では、山なり突部４６は、支持杆４４の両端部側にそれぞれ端部を連結された蛇行状の湾曲杆からなる。具体的には、湾曲杆は、支持杆４４の開放口２８側端部に隅丸状で鋭角状に接続しつつ、長溝部３０の少なくとも一部を幅狭くするようにベルト側杆３２に向けて略く字状に突出した突出頂部５０を２個一列状に併設されている。すなわち、山なり突部４６は、開放口２８に臨む部分でノーズ４２に対向する位置に設けたベルト側杆３２への近接方向に突状に傾斜する傾斜部４８を有している。さらに、該傾斜部４８に連続してベルト側杆３２へ向けて山（突出頂部５０）、谷、山（突出頂部５０）となるように２個一列状の山なり突部を形成し、支持杆４４へ向けて傾斜して該支持杆の他端部も接続されている。よって、山なり突部４６の傾斜部４８とフック部４０のノーズ４２の傾斜との間に形成される開放口２８は、外部側から長溝部３０内側に向けて次第に狭くなるように形成されており、比較的広い挿入開口幅を確保するとともに傾斜に沿ってベルト体１４を長溝部３０内に誘導してスムーズな挿入操作を実行できる。山なり突部４６の突出頂部５０の突出方向への大きさは、例えば、該突出頂部５０とベルト側杆３２の間に形成された間隙幅をベルト体１２の厚みと略同じか若干大きくなる程度に設定されている。山なり突部４６は、突出頂部５０により長溝部３０を通係したベルト体１４の巻回部分Ｒの遊びを少なくしており、該巻回部分Ｒがリンク体１６ａの短辺方向Ｘ（ホルダ側片３６へ向かう方向、さらに言い換えればフック部の突出側方向）へ移動しようとしても該突出頂部５０に当たり、該巻回部分の位置がフック部４０を越えて開放口直下位置に移動しないように規制する。すなわち、山なり突部４６は、ベルト体を緩やかに拘束し、長溝部３０内でのホルダ側片３６側へのずれを規制する手段となっている。これにより、締着状態では、山なり突部４６でベルト体の巻回部分Ｒの短辺方向Ｘへの移動が規制され、ベルト体１４がベルト側杆３２の長手方向に沿って開放口２８側へ移動しても、その厚み側がフック部４０に確実に係止されることとなり、ベルト体１４が長溝部３０から離脱することなく良好に締着状態が保持される。なお、山なり突部４６は、後述の足関節前面のリンク体１６ｂのように突出頂部５０を１個設けたものでも良い。山なり突部を２個以上の複数個設けることによりベルト体を幅方向の複数箇所で係合して、ベルト体をより安定的に保持することができる。
【００２２】
支持孔３４は、本実施形態では、支持杆４４と湾曲杆からなる山なり突部の形状によって、ベルト側杆へ向けた２つの突部を有する貫通孔となっている。支持孔３４の上下隅部は狭くなっており、ホルダ部の支持部１８の上下端縁部に当接している。なお、支持孔３４の形状は、例えば、細長孔、楕円孔、矩形状孔等、その他ホルダ部１２の支持部１８を巻き通される形状であれば任意でよい。連結杆３８は、長枠部材の非開放側を外部側に向けて凸状の円弧状に曲成されている。
【００２３】
一方、足関節前面の締着装置１０ｂは、図５、図６に示すように、上記締着装置１０ａと略同じ構成であり、ホルダ部１２と、ベルト体１４と、リンク体１６ｂと、を有しており、同一部材には同一符号を付して詳細な説明を省略する。足関節前面の締着装置１０ｂは、ベルト体１４の幅が、例えば３ｃｍ程度と比較的狭く形成されており、該ベルト体の幅に対応した大きさでリンク体１６ｂが形成されている。リンク体１６ｂは、その基本構成としては、上記下腿部上部側の締着装置１０ａのリンク体１６ａと同じであるが、山なり突部４６の形態が異なっており、突出頂部５０が１つの略く字状の湾曲杆からなる。すなわち、締着部位にかかる負荷の大きさによりベルト体１４の幅が設定されるとともに、ベルト体１４の幅に対応してリンク体１６ａ、１６ｂは、山なり突部４６の個数を設定し、ベルト体１４の幅が比較的狭い場合には１個の山部とし、ベルト体１４の幅が比較的広い場合には２個又はそれ以上の個数の山部を列状に併設させて形成するとよい。
【００２４】
図１に示すように、足背部分の締着装置６０は、装具本体２の足あてがい部２ｂの上面開放部分に対応して、装具本体２の一方の端部側に面ファスナ雌部材６２を内面側に有するベルト６１の端部が固定され、他方の端部側にベルト６１の止め具としての面ファスナ雄部材６３が固定されており、ベルト６１の自由端部を止め具に着脱自在に係止して締着する。なお、足背部の締着装置も本発明に係る締着装置１０を適用してもよい。すなわち、１つの装具に複数の締着部位がある場合には、締着部位を全て本実施形態に係る締着装置１０ａ、１０ｂで構成してもよく、本実施形態に係る締着装置１０ａ、１０ｂと他の締着装置とを同時に適用してもよい。
【００２５】
本実施形態に係る短下肢装具１を装着する際には、装具本体２を下腿部から足部にかけてあてがい装着し、例えば、図２に示すように、下腿部上部側の締着装置１０ａのベルト体１４を片手で持って上に持ち上げ、ベルト体１４の厚み側をリンク体１６の開放口２８に位置合わせしつつベルト体幅方向（下方）に移動させて、ベルト体１４を二点鎖線に示すようにリンク体１６ａの長溝部３０内部に挿入する。この際、フック部４０のノーズ４２の傾斜と山なり突部４６の傾斜部４８とにより、比較的広い開放口２８から長溝部３０内にベルト体１４を誘導してスムーズに挿入させることができる。また、ベルト体１４の開放口を介した長溝部３０への挿入操作中には、ベルト体１４の表裏面側でフック部４０のノーズ４２と山なり頂部４６の突出頂部５０とに同時に当たり幅方向に湾曲して弱い抵抗が生じる。ベルト体１４を長溝部３０内に完全に納めて通係させた状態では抵抗がなくなるので、使用者は所定の通係位置に納まったことがわかる。そして、図３に示すように、リンク体１６ａの長溝部３０内部に通係された状態のベルト体１４の先端側をベルト側杆３２から折り返して下腿部前面側で重ね合わせて面ファスナ（２６，２７）を介して係止する。これにより、例えば、片手だけでも簡便かつスピーディに締着することができる。同様に、足関節前面についても締着装置１０ｂを介して締着する。さらに、足背部の締着装置６０のベルト６１を面ファスナ６２，６３を介して締着して、装具が患側下肢に締着される。装着状態においては、下腿部前面側及び足関節前面の締着装置１０ａ、１０ｂでは、リンク体１６ａ、１６ｂと係合するベルト体１４の巻回部分Ｒが山なり突部４６により短辺方向Ｘへの移動を規制されるので、ベルト体１４が開放口２８側へ移動しても確実にフック部４０に係止されることとなり、ベルト体１４が長溝部３０から離脱することが確実に防止され、締着装置を取付けた装具の安全性を向上しうる。
【００２６】
以上説明した本発明の締着装置は、上記した実施形態のみの構成に限定されるものではなく、特許請求の範囲に記載した本発明の本質を逸脱しない範囲において、任意の改変を行ってもよい。
【産業上の利用可能性】
【００２７】
本発明の締着装置及びそれに用いられる締着具並びに医療用装具は、例えば、上肢装具、下肢装具、体幹装具等に好適に利用される。
【図面の簡単な説明】
【００２８】
【図１】本発明の実施形態に係る装具の締着装置及び締着金具並びに医療用装具の斜視図である。
【図２】図１の締着装置の拡大及び作用説明図である。
【図３】図１の締着装置の一部及び締着具の拡大図である。
【図４】図３の締着装置に用いられる締着具の正面説明図である。
【図５】図１の他の締着装置の一部及び締着具の拡大図である。
【図６】図３の締着装置に用いられる締着具の正面説明図である。
【符号の説明】
【００２９】
１    医療用装具
２    装具本体
１０、１０ａ、１０ｂ    締着装置
１２    ホルダ部
１４    ベルト体
１６ａ、１６ｂ    リンク体
１８    支持部
２８    開放口
３０    長溝部
３２    ベルト側杆
３４    支持孔
３６    ホルダ側片
３８    連結杆
４０    フック部
４２    ノーズ
４６    山なり突部
４８    傾斜部
【図１】
0004239035.tif 000002
【図２】
0004239035.tif 000003
【図３】
0004239035.tif 000004
【図４】
0004239035.tif 000005
【図５】
0004239035.tif 000006
【図６】
0004239035.tif 000007